(57)【要約】【課題】コンデンサの面積を従来のものより小さくすることができるチャージポンプ回路を提供する。【解決手段】入力端子ＩＮａが電圧０になると、パルス昇圧回路１０２の出力電圧が０となり、また、パルス昇圧回路１０５の出力が２Ｖｃｃとなり、コンデンサ１０６が電圧２Ｖｃｃに充電される。次に、入力端子ＩＮａが電圧Ｖｃｃになると、パルス昇圧回路１０２の出力電圧が電圧２Ｖｃｃとなり、点Ｃ１の電圧が４Ｖｃｃとなる。またこの時、インバータ１０３の電圧が０となり、パルス昇圧回路１０４の出力電圧が０となる。この結果、コンデンサ１０７に電圧４Ｖｃｃが充電される。次に、入力端子ＩＮａが電圧０になるとインバータ１０３の出力が電圧Ｖｃｃになり、パルス昇圧回路１０４の出力電圧が２Ｖｃｃとなり、点Ｃ２の電圧が６Ｖｃｃとなる。この点Ｃ２の電圧がダイオード１１２を通して出力される。【選択図】    図１
2004222399.tif 000002
【特許請求の範囲】
【請求項１】
順方向に直列接続された第１〜第ｎ（ｎは正の整数）のダイオード素子と、
前記第１〜第ｎのダイオード素子と対応して設けられ、周期パルスを昇圧して出力する第１〜第ｎのパルス昇圧回路と、
前記各パルス昇圧回路の出力端と前記各ダイオード素子の接続点間に介挿されたｎ個のコンデンサと、
周期パルスを昇圧して前記第１のダイオードへ出力する充電電流用パルス昇圧回路と、
入力端子に得られる周期パルスを前記第１、第３・・・のパルス昇圧回路へ供給すると共に、該周期パルスを反転して前記第２、第４・・・のパルス昇圧回路および前記充電電流用パルス昇圧回路へ供給する回路と、
を具備することを特徴とするチャージポンプ回路。
【請求項２】
順方向に直列接続された第１〜第ｎ（ｎは正の整数）のダイオード素子と、
前記第１〜第ｎのダイオード素子と対応して設けられ、周期パルスを昇圧して出力する第１〜第ｎのパルス昇圧回路と、
前記各パルス昇圧回路の出力端と前記各ダイオード素子の接続点間に介挿されたｎ個のコンデンサと、
周期パルスを昇圧して前記第１のダイオードへ出力する充電電流用パルス昇圧回路と、
入力端子に得られる周期パルスを前記第１、第３・・・のパルス昇圧回路へ供給すると共に、該周期パルスを反転して前記第２、第４・・・のパルス昇圧回路および前記充電電流用パルス昇圧回路へ供給する第１の回路と、
順方向に直列接続され、第（ｎ＋１）のダイオード素子が前記第ｎのダイオード素子に接続された第（ｎ＋１）〜第ｍ（ｍはｎより大きい正の整数）のダイオード素子と、
前記第（ｎ＋１）〜第ｍの各ダイオード素子の接続点に一端が接続された第（ｎ＋１）〜第ｍのコンデンサと、
入力端子に得られる周期パルスまたは該周期パルスを反転した反転周期パルスを前記第（ｎ＋１）、第（ｎ＋３）・・・のコンデンサの他端へ供給すると共に、前記反転周期パルスまたは入力端子に得られる周期パルスを前記第（ｍ＋２）、第（ｍ＋４）・・・のコンデンサの他端へ供給する第２の回路と、
を具備することを特徴とするチャージポンプ回路。
【請求項３】
順方向に直列接続された第１〜第ｎ（ｎは正の整数）のダイオード素子と、
前記第１〜第ｎのダイオード素子と対応して設けられ、周期パルスを昇圧して出力する第１〜第ｎのパルス昇圧回路と、
前記各パルス昇圧回路の出力端と前記各ダイオード素子間に介挿された第１〜第ｎのコンデンサと、
周期パルスを昇圧して前記第１のダイオードへ出力する充電電流用パルス昇圧回路と、
第１の入力端子に得られる第１の周期パルスを前記第１、第３・・・のパルス昇圧回路へ供給すると共に、該第１の周期パルスを反転して前記第２、第４・・・のパルス昇圧回路および前記充電電流用パルス昇圧回路へ供給する回路と、
第１、第２の出力コンデンサと、
第２の入力端子に得られる第２の周期パルスが接地レベルの時前記第ｎのコンデンサの充電電荷によって前記第１の出力コンデンサを充電すると共に、前記第２の出力コンデンサの充電電圧に電源電圧を加算した電圧を出力端子へ出力し、前記第２の周期パルスが電源電圧レベルの時前記第ｎのコンデンサの充電電荷によって前記第２の出力コンデンサを充電すると共に、前記第１の出力コンデンサの充電電圧に電源電圧を加算した電圧を出力端子へ出力する充電回路と、
を具備することを特徴とするチャージポンプ回路。
【請求項４】
前記パルス昇圧回路は、入力される周期パルスが第１のレベルの時、コンデンサを充電する充電回路と、第１、第２のレベルを繰り返す入力端子の周期パルスの変化に応じて、前記第１のレベルと、前記コンデンサの充電電圧に電源電圧を加算した電圧とを交互に出力端子へ出力するスイッチング回路とを具備することを特徴とする請求項１〜請求項３のいずれかの項に記載のチャージポンプ回路。
【請求項５】
前記スイッチング回路は直列接続された導電型が異なる第１、第２の増幅素子からなることを特徴とする請求項４に記載のチャージポンプ回路。
【請求項６】
前記第１、第２のレベルを繰り返す第１の周期パルスと、前記第１の周期パルスの立ち上がりより微少時間早く立ち上がり、前記第１の周期パルスの立ち下がりより微少時間遅く立ち下がる第２の周期パルスを出力するパルス発生回路を設け、前記第１、第２の増幅素子を各々前記第１、第２の周期パルスによって駆動することを特徴とする請求項５に記載のチャージポンプ回路。
【発明の詳細な説明】
【０００１】
【発明の属する技術分野】
この発明は、直流低電圧を昇圧して直流高電圧を生成するチャージポンプ回路に関する。
【０００２】
【従来の技術】
近年のＬＳＩ（大規模集積回路）においては、回路内部において３Ｖ、５Ｖ、１０Ｖというように多電源が要求される場合が多い。従来、このような多電源が要求される場合、ＬＳＩ外部において複数の電源を生成してＬＳＩへ供給するようになっていた。しかし、最近は、ＬＳＩへ供給する電源は１電源で、ＬＳＩ内部において多電源を生成することが要求される。
【０００３】
ＬＳＩ内部において、外部から供給される電源電圧Ｖｃｃより高い電圧を生成する回路として、チャージポンプ回路が用いられる。図１０は、従来のチャージポンプ回路の構成を示す回路図である。この図において、符号２０１は波高値Ｖｃｃでデューティ５０％の周期パルスが供給される入力端子、２０２は電源電圧Ｖｃｃが加えられる端子、２０３〜２０７はダイオード、２１１〜２１４はコンデンサ、２２０はインバータ、２３０は出力端子である。
【０００４】
このような構成において、入力端子２０１が電圧０（接地電位）の時はダイオード２０３を介してコンデンサ２１１が電圧Ｖｃｃに充電される。次に、入力端子２０１が電圧Ｖｃｃになると、コンデンサ２１１の一端（ダイオード２０４のアノード側）が２Ｖｃｃとなり、また、インバータ２２０の出力が電圧０となる。これにより、コンデンサ２１２が電圧２Ｖｃｃに充電される。次に、入力端子２０１が再び電圧０、インバータ２２０の出力が電圧Ｖｃｃになると、コンデンサ２１２の一端が電圧３Ｖｃｃとなり、コンデンサ２１３がこの電圧３Ｖｃｃに充電される。次に、入力端子２０１が電圧Ｖｃｃ、インバータ２２０の出力が電圧０になると、コンデンサ２１３の一端が電圧４Ｖｃｃとなり、コンデンサ２１４がこの電圧４Ｖｃｃに充電される。次に、入力端子２０１が電圧０、インバータ２２０の出力が電圧Ｖｃｃになると、コンデンサ２１４の一端が電圧５Ｖｃｃとなる。この電圧５Ｖｃｃがダイオード２０７を介して出力端子２３０へ出力される。なお、この出力電圧は、正確にはダイオード２０３〜２０７の順降下電圧を引いた電圧となる。
なお、従来の技術として特許文献１に記載されるものが知られている。
【０００５】
【特許文献１】
特開２００２−２０８２９０号公報
【０００６】
【発明が解決しようとする課題】
ところで、近年、例えば携帯電話等においては、装置の小型化に伴い、電池も益々小型化され、この結果、電池の出力電圧も例えば１Ｖ（ボルト）とかなり低くなってきている。このため、上述したチャージポンプ回路によって、１Ｖの電源電圧を例えば１０Ｖまで昇圧しようとすると、図１０における１個のコンデンサおよび１個のダイオードからなるブロックが１０個またはそれ以上必要となる。しかし、特に、コンデンサはＬＳＩ内部において大きい面積を必要とし、このため、ＬＳＩ内に多くのコンデンサを作成することは、他の回路を作成する面積が少なくなって極めて好ましくない。一方、コンデンサの面積を少なくするため、コンデンサの容量を小とすると、負荷電流がとれなくなる問題が発生する。
本発明は上記事情を考慮してなされたもので、その目的は、コンデンサの面積を従来のものより小さくすることができるチャージポンプ回路を提供することにある。また、この発明の他の目的は、負荷電流を従来のものより多くとることができるチャージポンプ回路を提供することにある。
【０００７】
【課題を解決するための手段】
この発明は上記の課題を解決するためになされたもので、請求項１に記載の発明は、順方向に直列接続された第１〜第ｎ（ｎは正の整数）のダイオード素子と、前記第１〜第ｎのダイオード素子と対応して設けられ、周期パルスを昇圧して出力する第１〜第ｎのパルス昇圧回路と、前記各パルス昇圧回路の出力端と前記各ダイオード素子の接続点間に介挿されたｎ個のコンデンサと、周期パルスを昇圧して前記第１のダイオードへ出力する充電電流用パルス昇圧回路と、入力端子に得られる周期パルスを前記第１、第３・・・のパルス昇圧回路へ供給すると共に、該周期パルスを反転して前記第２、第４・・・のパルス昇圧回路および前記充電電流用パルス昇圧回路へ供給する回路とを具備することを特徴とするチャージポンプ回路である。
【０００８】
請求項２に記載の発明は、順方向に直列接続された第１〜第ｎ（ｎは正の整数）のダイオード素子と、前記第１〜第ｎのダイオード素子と対応して設けられ、周期パルスを昇圧して出力する第１〜第ｎのパルス昇圧回路と、前記各パルス昇圧回路の出力端と前記各ダイオード素子の接続点間に介挿されたｎ個のコンデンサと、周期パルスを昇圧して前記第１のダイオードへ出力する充電電流用パルス昇圧回路と、入力端子に得られる周期パルスを前記第１、第３・・・のパルス昇圧回路へ供給すると共に、該周期パルスを反転して前記第２、第４・・・のパルス昇圧回路および前記充電電流用パルス昇圧回路へ供給する第１の回路と、順方向に直列接続され、第（ｎ＋１）のダイオード素子が前記第ｎのダイオード素子に接続された第（ｎ＋１）〜第ｍ（ｍはｎより大きい正の整数）のダイオード素子と、前記第（ｎ＋１）〜第ｍの各ダイオード素子の接続点に一端が接続された第（ｎ＋１）〜第ｍのコンデンサと、入力端子に得られる周期パルスまたは該周期パルスを反転した反転周期パルスを前記第（ｎ＋１）、第（ｎ＋３）・・・のコンデンサの他端へ供給すると共に、前記反転周期パルスまたは入力端子に得られる周期パルスを前記第（ｍ＋２）、第（ｍ＋４）・・・のコンデンサの他端へ供給する第２の回路とを具備することを特徴とするチャージポンプ回路である。
【０００９】
請求項３に記載の発明は、順方向に直列接続された第１〜第ｎ（ｎは正の整数）のダイオード素子と、前記第１〜第ｎのダイオード素子と対応して設けられ、周期パルスを昇圧して出力する第１〜第ｎのパルス昇圧回路と、前記各パルス昇圧回路の出力端と前記各ダイオード素子間に介挿された第１〜第ｎのコンデンサと、周期パルスを昇圧して前記第１のダイオードへ出力する充電電流用パルス昇圧回路と、第１の入力端子に得られる第１の周期パルスを前記第１、第３・・・のパルス昇圧回路へ供給すると共に、該第１の周期パルスを反転して前記第２、第４・・・のパルス昇圧回路および前記充電電流用パルス昇圧回路へ供給する回路と、第１、第２の出力コンデンサと、第２の入力端子に得られる第２の周期パルスが接地レベルの時前記第ｎのコンデンサの充電電荷によって前記第１の出力コンデンサを充電すると共に、前記第２の出力コンデンサの充電電圧に電源電圧を加算した電圧を出力端子へ出力し、前記第２の周期パルスが電源電圧レベルの時前記第ｎのコンデンサの充電電荷によって前記第２の出力コンデンサを充電すると共に、前記第１の出力コンデンサの充電電圧に電源電圧を加算した電圧を出力端子へ出力する充電回路とを具備することを特徴とするチャージポンプ回路である。
【００１０】
請求項４に記載の発明は、請求項１〜請求項３のいずれかの項に記載のチャージポンプ回路において、前記パルス昇圧回路は、入力される周期パルスが第１のレベルの時、コンデンサを充電する充電回路と、第１、第２のレベルを繰り返す入力端子の周期パルスの変化に応じて、前記第１のレベルと、前記コンデンサの充電電圧に電源電圧を加算した電圧とを交互に出力端子へ出力するスイッチング回路とを具備することを特徴とする。
【００１１】
請求項５に記載の発明は、請求項４に記載のチャージポンプ回路において、前記スイッチング回路は直列接続された導電型が異なる第１、第２の増幅素子からなることを特徴とする。
請求項６に記載の発明は、請求項５に記載のチャージポンプ回路において、前記第１、第２のレベルを繰り返す第１の周期パルスと、前記第１の周期パルスの立ち上がりより微少時間早く立ち上がり、前記第１の周期パルスの立ち下がりより微少時間遅く立ち下がる第２の周期パルスを出力するパルス発生回路を設け、前記第１、第２の増幅素子を各々前記第１、第２の周期パルスによって駆動することを特徴とする。
【００１２】
【発明の実施の形態】
以下、図面を参照し、この発明の実施の形態について説明する。図１はこの発明の第１の実施の形態によるチャージポンプ回路の構成を示す回路図である。図１において、符号ＩＮａは、波高値Ｖｃｃ（電源電圧）、デューティ比５０％の矩形状周期パルスが入力される入力端子であり、パルス昇圧回路１０２の入力端に接続されると共に、インバータ１０３を介してパルス昇圧回路１０４、１０５の各入力端に接続されている。パルス昇圧回路１０２、１０４、１０５は同一の回路であり、入力される波高値Ｖｃｃの周期パルスを波高値２Ｖｃｃまで昇圧して出力する。すなわち、パルス昇圧回路１０２は入力端子ＩＮａへ供給される周期パルスと同相で波高値が２Ｖｃｃの周期パルスを出力し、パルス昇圧回路１０４、１０５は入力端子ＩＮａへ供給される周期パルスと位相が逆相で波高値が２Ｖｃｃの周期パルスを出力する。
【００１３】
図４はパルス昇圧回路１０２（１０４、１０５）の具体的構成を示す回路図である。この図において、符号ＩＮは、波高値Ｖｃｃ、デューティ比５０％の矩形状の周期パルスが入力される入力端子であり、この入力端子ＩＮに入力された周期パルスはインバータ８によって反転され、ＦＥＴ（電界効果トランジスタ）３のゲートへ供給される。ＦＥＴ３は、ＮチャネルＦＥＴであり、そのドレインが電源電圧Ｖｃｃに接続され、ソースがコンデンサ４を介して入力端子ＩＮに接続されると共に、ＦＥＴ５のゲートに接続される。ＦＥＴ５はＮチャネルＦＥＴであり、そのドレインが電源電圧Ｖｃｃに接続され、ソースがコンデンサ６の一端およびＦＥＴ７のソースに接続されている。インバータ８は、入力端子ＩＮの周期パルスを反転し、コンデンサ６の他端へ出力する。ＦＥＴ７およびＦＥＴ９はそれぞれＰチャネルおよびＮチャネルＦＥＴであり、これらのＦＥＴ７，９の各ゲートおよびドレインが共通接続され、これによってインバータが構成されている。そして、ＦＥＴ７，９のゲートが入力端子ＩＮに接続され、ドレインが出力端子ＯＵＴに接続され、また、ＦＥＴ９のソースが接地されている。
【００１４】
このような構成において、入力端子ＩＮの電圧が”Ｈ”（ハイレベル＝Ｖｃｃ）の時は、インバータ８の出力が”Ｌ”（ロー＝接地電位）となり、ＦＥＴ３がオフとなる。またこの時、入力端子ＩＮの”Ｈ”がコンデンサ４を介してＦＥＴ５のゲートへ供給され、ＦＥＴ５がオンとなる。ここで、後に示すように、接続点Ａは予めＶｃｃ−Ｖｔｈ（ＶｔｈはＦＥＴ３のしきい値）に充電されているため、接続点Ｂは２Ｖｃｃ−Ｖｔｈとなり、Ｖｃｃより高い電圧となるので、ＦＥＴが３極管動作となる。
ＦＥＴ５がオンとなると、このＦＥＴ５を介してコンデンサ６に電圧Ｖｃｃが充電される。また、この時点において、ＦＥＴ７，９の各ゲートへは”Ｈ”が加えられ、これにより、ＦＥＴ９がオン、ＦＥＴ７がオフとなり、出力端子ＯＵＴが接地電位となる。この時、接続点Ａの電圧は、Ｖｃｃ−Ｖｔｈであり、Ｖｃｃより低い電圧にある。
【００１５】
次に、入力端子ＩＮが”Ｌ”になると、インバータ８の出力が”Ｈ”となり、ＦＥＴ３がオンとなる。これにより、ＦＥＴ３からコンデンサ４の充電電流が流れ、ＦＥＴ５のゲートが”Ｌ”となり、ＦＥＴ５がオフとなる。また、この時点で、コンデンサ６には電圧Ｖｃｃが充電されていることから、インバータ８の出力が”Ｈ”になると、接続点Ｂの電圧が、２Ｖｃｃとなる。そして、この時点でＦＥＴ７がオン、ＦＥＴ９がオフとなることから、上記の電圧２Ｖｃｃが出力端子ＯＵＴから出力される。
【００１６】
次に、入力端子ＩＮが再び”Ｈ”になると、再び、出力端子ＯＵＴが接地電位となると共に、コンデンサ６の充電が行われ、入力端子ＩＮが”Ｌ”になると、出力端子ＯＵＴが電圧２Ｖｃｃとなり、以下、この動作が繰り返される。
このように、上記実施形態のパルス昇圧回路によれば、波高値Ｖｃｃの周期パルスを波高値２Ｖｃｃの周期パルスに変換することができる。
【００１７】
次に、図１に戻ると、符号１０６、１０７は各々、一端がパルス昇圧回路１０２、１０４の各出力端に接続されたコンデンサである。１１０〜１１２はダイオードであり、ダイオード１１０のアノードがパルス昇圧回路１０５の出力端に接続され、ダイオード１１０のカソードがダイオード１１１のアノードおよびコンデンサ１０６の他端に接続され、ダイオード１１１のカソードがダイオード１１２のアノードおよびコンデンサ１０７の他端に接続され、ダイオード１１２のカソードが出力端子ＯＵＴａに接続されている。
【００１８】
次に、図１に示す回路の動作を説明する。
まず、入力端子ＩＮａが電圧０（接地電位）になると、パルス昇圧回路１０２の出力電圧が０、パルス昇圧回路１０５の出力が２Ｖｃｃ、となり、コンデンサ１０６がダイオード１１０を介して電圧２Ｖｃｃに充電される。なお、実際にはダイオード１１０の順降下電圧分だけ電源電圧Ｖｃｃより低い電圧に充電されるが、ここでは説明の簡略化のためダイオードの順降下電圧を０として説明する。次に、入力端子ＩＮａが電圧Ｖｃｃになると、パルス昇圧回路１０２の出力電圧が電圧２Ｖｃｃとなり、この結果、点Ｃ１の電圧（ダイオード１１１のアノード電圧）が４Ｖｃｃとなる。またこの時、インバータ１０３の電圧が０となり、パルス昇圧回路１０４の出力電圧が０となる。この結果、コンデンサ１０７が点Ｃ１の電圧４Ｖｃｃによって充電され、一方、コンデンサ１０６が放電する。次に、入力端子ＩＮａの電圧が０になると、コンデンサ１０６が充電され、入力端子ＩＮａの電圧がＶｃｃになると、コンデンサ１０７が充電され、コンデンサ１０６が放電し、以下、この動作が繰り返され、これにより、コンデンサ１０７の充電電圧が４Ｖｃｃとなる。
【００１９】
また、入力端子ＩＮａの電圧が０になり、インバータ１０３の出力がＶｃｃになると、パルス昇圧回路１０４の出力電圧が２Ｖｃｃとなり、この結果、パルス昇圧回路１０４の出力電圧にコンデンサ１０７の充電電圧を加えた点Ｃ２の電圧（ダイオード１１２のアノード電圧）が６Ｖｃｃとなる。そして、この電圧６Ｖｃｃがダイオード１１２を介して出力端子ＯＵＴａへ出力される。また、入力端子ＩＮａの電圧がＶｃｃになり、インバータ１０３の出力が０になると、パルス昇圧回路１０４の出力電圧が０となり、この結果、点Ｃ２の電圧が４Ｖｃｃとなり、この電圧４Ｖｃｃがダイオード１１２を介して出力端子ＯＵＴａへ出力される。
【００２０】
以上がこの発明の第１の実施形態の動作である。ところで、図１０の回路におけるコンデンサ２１１〜２１４には各々、３０００μｍ２の面積が必要であり、したがって図１０の回路をＬＳＩ内に作成するには、コンデンサのために１２０００μｍ２の面積を必要とする。これに対し、図４のコンデンサ４、６には各々５００μｍ２および１０００μｍ２の面積が必要であり、また、図１のコンデンサ１０６、１０７には１０００μｍ２の面積が必要である。この結果、図１の回路をＬＳＩ内に構成するためには、
１５００×３＋１０００＋１０００＝６５００μｍ２
の面積でよいことになる。
なお、上記実施形態においては、ダイオード、コンデンサおよびパルス昇圧回路の組を２組（符号１１０、１０６、１０２の組および符号１１１、１０７、１０４の組）設けているが、この組数は出力電圧に応じて更に多数組設けてもよいことは勿論である。
【００２１】
次に、この発明の第２の実施形態について説明する。
図２はこの発明の第２の実施形態の構成を示す回路図であり、この図に示す実施形態は図１に示す実施形態より負荷電流をより多くとることができる。この図において、図１の各部に対応する部分には同一の符号を付してある。この図に示す回路が図１に示す回路と異なる点は、入力端子ＩＮａとダイオード１１２のカソードとの間に介挿されたコンデンサ１０８と、ダイオード１１２のカソードと出力端子ＯＵＴａとの間に介挿されダイオード１１３とが設けられている点である。
【００２２】
このような構成によれば、入力端子ＩＮａの電圧が０の時、点Ｃ２（ダイオード１１３のアノード）の電圧が前述したように、６Ｖｃｃとなり、この電圧がコンデンサ１０８に充電され、また、この充電電圧がダイオード１１３を介して出力端子ＯＵＴａへ出力される。また、入力端子ＩＮａの電圧がＶｃｃになると、点Ｃ３の電圧が、７Ｖｃｃとなり、この点Ｃ３の電圧がダイオード１１３を通して、出力端子ＯＵＴａへ出力される。
【００２３】
ここで、コンデンサ１０８を面積２０００μｍ２によって構成すれば、全コンデンサの面積は８５００μｍ２となり、図１０の回路の約７割の面積で済むことになる。そして、この回路によれば、図１０に示す従来の回路と同様の負荷電流をとることができる。
【００２４】
なお、上記実施形態は、図１に示す第１の実施形態における点Ｃ２の後部にダイオードとコンデンサを１組設けたものであるが、図２の点Ｃ３の後部にさらに複数のダイオードおよびコンデンサの組を設けてもよい。この場合、コンデンサへ供給する周期パルスは１個おきに位相を逆転させることは勿論である。
【００２５】
次にこの発明の第３の実施形態について説明する。
図３はこの発明の第３の実施形態の構成を示す回路図であり、この図に示す実施形態は、図２に示す実施形態を改良し、図２に示すものよりさらに負荷電流がとれるようにしたものである。
【００２６】
この図に示す実施形態が図２に示すものと異なる点は、図２におけるダイオード１１２，１１３およびコンデンサ１０８に代えて、ダイオード１１５〜１１８、コンデンサ１２０、１２１、インバータ１２３および入力端子ＩＮｂを設けた点である。すなわち、ダイオード１１５および１１７の各アノードが共にダイオード１１１のカソードに接続され、ダイオード１１５のカソードとダイオード１１６のアノードが接続されると共にその接続点にコンデンサ１２０の一端が接続され、ダイオード１１７のカソードとダイオード１１８のアノードが接続されると共にその接続点にコンデンサ１２１の一端が接続され、ダイオード１１６、１１７の各カソードが共に出力端子ＯＵＴａに接続され、インバータ１２３の入力端が入力端子ＩＮｂに接続されると共にコンデンサ１２０の他端に接続され、インバータ１２３の出力端がコンデンサ１２１の他端に接続されている。ここで、入力端子ＩＮｂには、波高値Ｖｃｃ（電源電圧）、デューティ比５０％の矩形状周期パルスで、周波数が入力端子ＩＮａの周期パルスの周波数の１／３の周期パルスを入力する。
【００２７】
次に、上述した第３の実施形態の動作を説明する。
図１において説明したように、入力端子ＩＮａがＶｃｃの時、コンデンサ１０７に電圧４Ｖｃｃが充電され、入力端子ＩＮａが０になると、パルス昇圧回路１０４の出力が２Ｖｃｃとなることから、点Ｃ２の電圧が６Ｖｃｃとなる。そして、入力端子ＩＮｂの電圧が０の時、点Ｃ２の電圧によってコンデンサ１２０が充電される。次に、入力端子ＩＮａがＶｃｃになると、コンデンサ１０７が充電され、入力端子ＩＮａが０になると、コンデンサ１０７の電荷によってコンデンサ１２０が再び充電される。
【００２８】
このコンデンサ１２０の充電が３回繰り返されると、入力端子ＩＮｂがＶｃｃとなる。これにより、点Ｃ３の電圧（ダイオード１１６のアノード電圧）が、電圧Ｖｃｃとコンデンサ１２０の充電電圧６Ｖｃｃの和である７Ｖｃｃとなり、この電圧がダイオード１１６を介して出力端子ＯＵＴａへ出力される。またこの時、インバータ１２３の出力が０となり、コンデンサ１０７の電荷によってコンデンサ１２１が充電される。そして、コンデンサ１０７の電荷によるコンデンサ１２１の充電が３回繰り返されると、入力端子ＩＮｂが０となり、コンデンサ１２１の一端の電圧がダイオード１１８を介して出力端子ＯＵＴａへ出力され、また、コンデンサ１２０の充電が行われ、以下、上記の過程が繰り返される。
【００２９】
上述した第３の実施形態によれば、図１の回路より多くの負荷電流をとることができる。すなわち、図１の回路は、出力が変動する電圧となり、このため、直流として使用するためには当然ながら負荷回路にコンデンサを追加して平滑する必要がある。コンデンサで平滑した電源からは多くの負荷電流をとることはできない。これに対し、図３の回路は、入力端子ＩＮｂの半周期毎にコンデンサ１２０，１２１の電圧が交互に出力端子ＯＵＴａへ出力される。これにより、図１の回路に比較し多くの負荷電流をとることができる。
【００３０】
なお、上記第３の実施形態においては、入力端子ＩＮｂの周期パルスの周波数を入力端子ＩＮａの周期パルスの周波数の１／３としたが、これは１／３に限るものではない。例えば１／２、あるいは１／５等でもよい。
【００３１】
次に、パルス昇圧回路１０２（１０４、１０５）の他の構成例を説明する。
図５は図４の構成をさらに簡略化した回路であり、この図において、入力端子ＩＮに入力される周期パルスはインバータ１１において反転され、コンデンサ１２の一端に供給される。また、ＮチャネルＦＥＴ１３のドレインは電源電圧Ｖｃｃに接続され、ゲートがドレインと接続され、ソースがコンデンサ１２の他端およびＰチャネルＦＥＴ１４のソースに接続されている。ＦＥＴ１４およびＮチャネルＦＥＴ１５はインバータを構成しており、各ゲートの接続点に入力端子ＩＮの電圧が加えられ、各ドレインの接続点が出力端子ＯＵＴに接続されている。
【００３２】
このような構成において、入力端子ＩＮの電圧が”Ｈ”の時は、インバータ１１の出力が”Ｌ”となる。これにより、ＦＥＴ１３を介してコンデンサ１２に電圧（Ｖｃｃ−Ｖｔｈ）が充電される。ここで、電圧ＶｔｈはＦＥＴ１３のゲート−ソース間電圧であり、約０．７Ｖである。またこの時、ＦＥＴ１４がオフ、ＦＥＴ１５がオンとなり、出力端子ＯＵＴが接地電位となる。次に、入力端子ＩＮが”Ｌ”になると、インバータ１１の出力が”Ｈ”となり、この結果、ＦＥＴ１４のソース電圧が
Ｖｃｃ＋（Ｖｃｃ−Ｖｔｈ）＝２Ｖｃｃ−Ｖｔｈ
となる。またこの時、ＦＥＴ１３はソース−ドレイン間が逆バイアスとなり、カットオフされる。そして、この時点でＦＥＴ１４がオン、ＦＥＴ１５がオフとなることから、上記の電圧（２Ｖｃｃ−Ｖｔｈ）が出力端子ＯＵＴから出力される。
【００３３】
図６はパルス昇圧回路１０２のさらに他の構成例を示す回路図であり、この図において図４の各部と対応する部分には同一の符号が付してある。図４の回路においては、入力端子ＩＮに１相の周期パルスが供給され、ＦＥＴ７，９のゲートへこの周期パルスが入力されるようになっている。しかし、このような構成の場合、ＦＥＴ７，９のオン／オフ切替時においてＦＥＴ７，９を貫通する貫通電流が流れる恐れがある。そこで、この回路においては、入力端子ＩＮの周期パルスに基づいて、波高値Ｖｃｃの２相周期パルスＰ１、Ｐ２を発生するパルス発生回路２０を設けている。図７はパルス発生回路２０から出力される２相周期パルスＰ１、Ｐ２の波形図であり、この図に示すように、周期パルスＰ２が立ち上がった後、微少時間経過後に周期パルスＰ１が立ち上がり、周期パルスＰ１が立ち下がった後、微少時間後に周期パルスＰ２が立ち下がる。そして、周期パルスＰ１、Ｐ２がそれぞれがＦＥＴ９、７のゲートへ入力されるようになっている。なお、パルス発生回路２０は公知の回路であり、その一例を図８に示す。この図において、３１〜３８はインバータ、４１，４２はナンドゲートである。
【００３４】
また、この回路においては、図４のインバータ８に代えてＰチャネルＦＥＴ２１とＮチャネルＦＥＴ２２を設け、ＦＥＴ２１のゲートに周期パルスＰ２を加え、ソースを電源電圧Ｖｃｃに、ドレインをＦＥＴ２２のドレインにそれぞれ接続し、また、ＦＥＴ２２のゲートに周期パルスＰ１を加え、ＦＥＴ２２のソースを接地している。そして、ＦＥＴ２１、２２の共通ドレインとＦＥＴ７のソースとの間にコンデンサ６を接続している。また、ＦＥＴ７，２１の各基板をそれぞれのソースに接続している。
【００３５】
このような構成によれば、周期パルスＰ１が”Ｌ”となり、ＦＥＴ９がオフとなった後、周期パルスＰ２が”Ｌ”となってＦＥＴ７がオンとなり、また、周期パルスＰ２が”Ｈ”となってＦＥＴ７がオフとなった後、周期パルスＰ１が”Ｈ”となりＦＥＴ９がオンとなる。これにより、ＦＥＴ７，９に貫通電流が流れることはない。
【００３６】
図９はパルス昇圧回路１０２のさらに他の構成例を示す回路図であり、この図において、図５の各部に対応する部分には同一の符号が付してある。この図に示すパルス昇圧回路は、図５に示す回路におけるＦＥＴ１４、１５の貫通電流を防止するための回路である。すなわち、図６と同様に、２相周期パルスを出力するパルス発生回路２０を設け、周期パルスＰ１、Ｐ２をそれぞれがＦＥＴ１５、１４のゲートへ入力している。また、図５のインバータ１１に代えてＰチャネルＦＥＴ２４とＮチャネルＦＥＴ２５を設け、ＦＥＴ２４のゲートに周期パルスＰ２を加え、ＦＥＴ２４のソースを電源電圧Ｖｃｃに、ドレインをＦＥＴ２５のドレインにそれぞれ接続し、また、ＦＥＴ２５のゲートに周期パルスＰ１を加え、ＦＥＴ２５のソースを接地している。そして、ＦＥＴ２４、２５の共通ドレインとＦＥＴ４のソースとの間にコンデンサ１２を接続している。
そして、この回路によっても、図６の回路と同様にＦＥＴ１４、１５の貫通電流を防ぐことができる。
【００３７】
なお、上述した第１〜第３の実施形態においては、ダイオード、パルス昇圧回路およびコンデンサから構成されるブロックが２組（ダイオード１１０、１１１に対応するブロック）しか設けられていないが、これは、出力電圧に応じてさらに多数設けられることは勿論である。
【００３８】
【発明の効果】
以上説明したように、この発明によれば、コンデンサの面積を従来のものより少なくすることができる効果がある。また、請求項３の発明によれば、従来のもの以上の負荷電流をとることができる効果も得られる。
【図面の簡単な説明】
【図１】この発明の第１の実施形態によるチャージポンプ回路の構成を示すブロック図である。
【図２】この発明の第２の実施形態によるチャージポンプ回路の構成を示すブロック図である。
【図３】この発明の第３の実施形態によるチャージポンプ回路の構成を示すブロック図である。
【図４】図１におけるパルス昇圧回路１０２の第１の構成例を示す回路図である。
【図５】図１におけるパルス昇圧回路１０２の第２の構成例を示す回路図である。
【図６】図１におけるパルス昇圧回路１０２の第３の構成例を示す回路図である。
【図７】図６におけるパルス発生回路２０の動作を説明するためのタイミング図である。
【図８】図６におけるパルス発生回路２０の具体例を示す回路図である。
【図９】図１におけるパルス昇圧回路１０２の第４の構成例を示す回路図である。
【図１０】従来のチャージポンプ回路の構成例を示す回路図である。
【符号の説明】
１０２、１０４、１０５…パルス昇圧回路
１０３、１２３…インバータ
１０６、１０７、１０８、１２０、１２１…コンデンサ
１１０〜１１３、１１５〜１１８…ダイオード
ＩＮａ、ＩＮｂ…入力端子
ＯＵＴａ…出力端子
【図１】
2004222399.tif 000003
【図２】
2004222399.tif 000004
【図３】
2004222399.tif 000005
【図４】
2004222399.tif 000006
【図５】
2004222399.tif 000007
【図６】
2004222399.tif 000008
【図７】
2004222399.tif 000009
【図８】
2004222399.tif 000010
【図９】
2004222399.tif 000011
【図１０】
2004222399.tif 000012